(57)【要約】【課題】  離れた位置から電線等を引き寄せる作業をするためのテレスコピック構造の引き寄せ具には、構造がシンプル、小型で軽量なものがなかった。【解決手段】  先端に引っ掛け用カギを有する三以上の筒より成る。各筒は互いに回動しない入れ子式であり、該最内側筒内には、ネジ体と、該ネジ体の中心軸を同じくしその外径が該ネジ体のネジ谷の外径とほぼ等しい柱体とを合体させた形状のネジ棒が配置されている。また該ネジ棒の柱体上をスライドし該ネジ棒のネジ体に螺合するネジを具備する複数のコマが串刺し状に筒の手元側端部に配置されている。更に各筒は先端側が細いテーパ構造を採っているか、最外側筒を除く全筒の外表面手元側端部近傍若しくは各コマ外表面付近と、該最内側筒を除く全筒の内表面先端側端部近傍に、各々、双方が接当するまでは筒相互のスライドを阻害しないストッパー部材が固定されている。【選択図】  図１
2005086839.tif 000002
【特許請求の範囲】
【請求項１】
先端に引っ掛け用カギを有する筒を最内側筒とする三以上の筒より成るテレスコピック構造の引き寄せ具であって、これらの筒は入れ子式であり全て他の筒に対して回動運動をほとんどしない構造を採っており、また該最内側筒内には、ネジ体と、該ネジ体の中心軸を同じくしその外径が該ネジ体のネジ谷の外径とほぼ等しい柱体とを合体させた形状のネジ棒が配置されており、また該ネジ棒の柱体上をスライドし該ネジ棒のネジ体に螺合するネジを具備する複数のコマが串刺し状に、且つ該複数のコマはそれぞれ該三以上の筒の手元側端部にテレスコピック伸縮を妨げないように配置されており、また、全筒は先端側が細いテーパ構造を採っており、各筒を引き出す際に抜け止めとなるものであることを特徴とする引き寄せ具。
【請求項２】
引っ掛け用カギは、最内側筒先端に固定されており、また最外側筒には最内側筒以外の他の筒の先端方向へのスライドを規制する滑り出し止め部材が固定されている請求項１記載の引き寄せ具。
【請求項３】
最外側筒に固定されるコマとこれに隣接するコマとの間にはスライド時ネジ棒と干渉しないコイルバネが配置されている請求項２記載の引き寄せ具。
【請求項４】
先端に引っ掛け用カギを有する筒を最内側筒とする三以上の筒より成るテレスコピック構造の引き寄せ具であって、これらの筒は入れ子式であり全て他の筒に対して回動運動をほとんどしない構造を採っており、また該最内側筒内には、ネジ体と、該ネジ体の中心軸を同じくしその外径が該ネジ体のネジ谷の外径とほぼ等しい柱体とを合体させた形状のネジ棒が配置されており、また該ネジ棒の柱体上をスライドし該ネジ棒のネジ体に螺合するネジを具備する複数のコマが串刺し状に、且つ該複数のコマはそれぞれ該三以上の筒の手元側端部にテレスコピック伸縮を妨げないように配置されており、また、最外側筒を除く全筒の外表面手元側端部近傍若しくは各コマ外表面付近と、該最内側筒を除く全筒の内表面先端側端部近傍には各々、双方が接当するまでは筒相互のスライドを阻害しないストッパー部材が固定されているものであることを特徴とする引き寄せ具。
【請求項５】
引っ掛け用カギは、最内側筒先端に固定されており、また最外側筒には最内側筒以外の他の筒の先端方向へのスライドを規制する滑り出し止め部材が固定されている請求項４記載の引き寄せ具。
【請求項６】
最外側筒に固定されるコマとこれに隣接するコマとの間にはスライド時ネジ棒と干渉しないコイルバネが配置されている請求項５記載の引き寄せ具。
【請求項７】
最外側筒を除く各筒の手元側外表面のストッパー部材よりも先端の位置には、外側の筒に接触する摩擦材が固定されている請求項４又は５記載の引き寄せ具。
【発明の詳細な説明】
【技術分野】
【０００１】
本発明は、離れた場所から電線などを引き寄せる際に使用する引き寄せ具の構造に関するものである。
【背景技術】
【０００２】
住宅や工場などにおいて配線されている電線は、壁体内部や天井裏等、目に触れない部分に存在していることが多い。従って、構築後にこれらを再度取り出す場合、或いは新しい電線を配線する場合、壁や天井に開口部が設けられている必要がある。
【０００３】
しかしこうした開口が、実際に作業のしやすい適当な大きさとなっていることは稀である。また、壁の場合には空間的な余裕がないことが多いので、電線取り出しには通常屋根裏空間を利用することが多く、天井板を一部取り外しできるようにし、ここを開口とするのが普通である。
【０００４】
ところが最近の住宅は天井裏の空間が小さくなっており、人が入り込んで作業するに充分な余裕のないものが多い。高さが４０ｃｍ程度しかなく頭が入る程度しかないものすら珍しくない。また、外すことのできる天井板も限られてきており、手を加えたい電線の位置がこの天井板から何メートルも離れているため作業に手こずることが多かった。
【０００５】
このような場合に使用するのが「引き寄せ具」である。従来の引き寄せ具は、先端にカギのついたロッドであり、このロッドは伸縮しない単なる棒状体であることも多いが、は振り出し式釣竿の如きテレスコピック構造のものも見られる。テレスコピック構造の場合その筒の段数は、できるだけ多いほうが仕舞寸法が小さくて済むという意味では好適であるが、段数が多いと連結箇所の数が増すため伸ばした時にしなりやすくなり取り扱いが面倒になる。そこで、３〜６段程度が一般的である。この引き寄せ具を、長さの短い状態でまず屋根裏空間に入れ、次いで手でロッドを引き伸ばしながらカギを電線の位置まで移動させ、これを引っ掛けた後今度は、手でロッドを縮めて電線を手元に引き寄せる。
【発明の開示】
【発明が解決しようとする課題】
【０００６】
しかし非常に狭い空間、場合によっては頭が入る高さしかないような空間で、手でロッドを引き伸ばしたり縮めたりする作業は、作業者に多大な疲労感を与える非常に面倒な作業であった。これに関し本発明者は以前、テレスコピック構造となっている多段筒の最も内側の筒に巻き取り可能な金属板又はワイヤーの一端を固定し、最も外側の筒の後端にこれを巻き取る部材を設け、圧接ローラーと回動ローラーとでこの金属板等を挟み込んで出し入れするという引き寄せ具を開発した。しかし電線などの引き寄せ作業をローラーと金属板等との摩擦力のみに依存しているので、重量のある電線束などを引き寄せる際にスリップを始めてしまうと非常に煩わしい事態に陥ってしまう。また、複数のローラーで金属板等を挟み込むという構造であるのでこの構造部分が嵩張り作業性を低下させる。更に、部材点数が多いのでコストがかかってしまう。このような問題があるため理想的な器具とはなっていなかった。
【特許文献１】特許第３１０１８９７号
【課題を解決するための手段】
【０００７】
以上のような現状に鑑み、本発明者は長年鋭意研究の結果遂に本発明を成したものであり、その特徴とするところは、先端に引っ掛け用カギを有する筒を最内側筒とする三以上の筒より成るテレスコピック構造の引き寄せ具であって、これらの筒は入れ子式であり全て他の筒に対して回動運動をほとんどしない構造を採っており、また該最内側筒内には、ネジ体と、該ネジ体の中心軸を同じくしその外径が該ネジ体のネジ谷の外径とほぼ等しい柱体とを合体させた形状のネジ棒が配置されており、また該ネジ棒の柱体上をスライドし該ネジ棒のネジ体に螺合するネジを具備する複数のコマが串刺し状に、且つ該複数のコマはそれぞれ該三以上の筒の手元側端部にテレスコピック伸縮を妨げないように配置されており、また、全筒は先端側が細いテーパ構造を採っていて各筒を引き出す際に抜け止めとなるか、或いは、最外側筒を除く全筒の外表面手元側端部近傍若しくは各コマ外表面付近と、該最内側筒を除く全筒の内表面先端側端部近傍に各々、双方が接当するまでは筒相互のスライドを阻害しないストッパー部材が固定されているものである、点にある。
【０００８】
即ち本発明は、振り出し式釣り竿を伸ばしたり縮めたりするが如き動作を竿尻にあるネジ棒を回動させることで行う構造を提案したものであり、この回動運動を電動ドライバーなどの回転器具に担当させるようにすれば、従来は不可能であったような空間においても簡単に電線などを引き寄せることが可能となる。
【０００９】
なおここで「筒」は、３段以上である。またこの筒は、入れ子式であり全て他の筒に対して回動運動をほとんどしない構造を採っている。他の筒に対して回動運動をほとんどしない構造とは、ある筒が、その内側又は外側の筒に対して、その長手方向への移動（スラ６イド）はできるが、回ることはできないような構造のことを言う。形状については全く限定しない。なお、各筒が断面円形ではない場合、他の筒との間隙がわずかにあり回動はするがその回動角度が小さいときには、いわゆる「遊び」の範囲内であるとし「他の筒に対して回動運動をほとんどしない」範疇に属するものとする。この回動角度は、筒断面が正方形の場合９０度（直角）未満であるが、実際に円滑な作業を行うには２０度未満であることが好ましい。
【００１０】
またこれらの筒は、それぞれ根元から先端まで一様な太さのものであっても良いし、先端にゆくに連れて細くなってゆくものであっても良い。両者は、細かな部分で構造上の差異はあるが、共に本発明に採用し得る構造である。
【００１１】
最も内側の筒は、全ての筒の中で最も細いものであるが、更に細いネジ棒（後述）がその内部に嵌合自在に配置される。また最内側筒の先端には引っ掛け用カギが取設される。引っ掛け用カギの構造については、引き寄せようとするものの形状や材質によって適宜選択すれば良いものであり、全く限定しない。なお本発明引き寄せ具を説明するについて、前・後・先端・手元、等の表現をするが、これらは釣り竿でいう「竿尻」を手元、「穂先」を先端、先端方向を前、と定義する。
【００１２】
「ネジ棒」は、螺旋状にネジ溝が刻設された、或いは螺旋状に凸条体を形成した「ネジ本体」と「柱体」とを合体させたような形状の部材であり、全体としては細長い棒状体である。溝刻設の場合には、刻設前の周面が「ネジ山」、溝底が「ネジ谷」となり、凸条体を付加する場合には、該付加した凸条体が「ネジ山」、他の部分が「ネジ谷」となる。ネジ本体のネジ谷と柱体の外径とがほぼ等しいので、外観としてはネジ山分だけネジ本体が太く構成されている、或いはその分だけ太い部分を有している、ことになる。
【００１３】
最も外側の筒以外の筒は、それぞれその手元側端部に「コマ」を有している。例えば四本の筒で構成される四段式の筒であれば、最も外側の筒以外の三本の筒がこの「コマ」を備えている、ということになる。このコマは、それぞれの筒を先端側に押し出すことが可能であるが、それらの筒を手元側に戻す際に筒の移動（テレスコピック伸縮）を妨げることがないように構成されている。即ちこのコマは、ネジ棒の柱体上をスライドできるように中空部を有し、また、ネジ体のネジ山に接触した後はこのネジ溝に螺合するようにこの中空部にはネジ部が設けられている。この中空部に設けられたネジ部は、必ずしも螺旋構造を採っている必要はなく、例えばネジ棒側のネジが溝刻設によって形成されている場合であれば、この溝に嵌り込む突起一つでも良い。即ち、ネジ棒のネジと嵌り合う構造であれば、螺合しているというものとする。
【００１４】
また「コマ」は複数個存在するわけであるが、これらは串刺し状に配置されている。そして、最も先端側のコマは最も内側の筒は押すことができるがそれより外側の筒は押すことがないような大きさ・構造のもの、２番目のコマは２番目の筒は押すことができるが３番目よりも外側の筒はいずれも押さない大きさ・構造となっている。
【００１５】
このような筒とコマの関係から、ネジ棒を回転させ続けてゆくと、最初は全てネジ棒の柱体に串刺し状に並んでいたコマの中で、まず最も先端のコマがネジ棒のネジ本体に掛かるとこの段階でこのコマだけがネジ棒のネジ溝に導かれる形で先端に向かって移動を開始する。このコマは、最も内側の筒だけを押すものであるのでその結果、最も内側の筒のみが伸長を始めることになる。
２番目のコマも、ネジ棒のネジ本体に掛かるとネジ棒のネジ溝に導かれて先端に向かって移動し、２番目の筒を伸長させることになるが、このコマと最初のコマがどちらもネジ棒に螺合している状態にある間は、共動して伸長することになり、最も内側の筒が２番目の筒から飛び出すように伸長するという動きはしないことになる。そこで、最初のコマがネジ棒上を充分な距離移動し終えるまで２番目のコマがネジ棒に螺合しないような機能を有することが好ましい。
【００１６】
この機能を与える部材として「ストッパー部材」がある。これは、根元から先端まで一様な太さの筒の場合に採用容易な構造であり、最外側筒を除く全筒の外表面手元側端部近傍付近と、該最内側筒を除く全筒の内表面先端側端部近傍に設けられている。従って、例えば最も畳まれた状態（全長が最小の状態）からネジ棒を回転させ最も内側の筒を引き伸ばしてゆくと、内側筒の外表面手元側端部近傍に設けられたストッパー部材は、やがてそのすぐ外側の筒の内表面先端側端部近傍に設けられたストッパー部材に接触する。これに構わず更に最内側筒を引き伸ばしてゆくと、この外側筒は内側筒のストッパー部材に引っ掛かって押し出される。
外側筒が押し出されると、これに付帯するコマはネジ棒の先端側にスライドしそのネジ山に掛かる。この状態以降に内側筒のコマがネジ棒先端から外れても、次のコマがネジ棒のネジ本体に乗っているので、ネジ棒回転による筒の押し出し運動は続行される。
このようにして全ての筒が内側から順に押し出されることになる。
またこのストッパー部材は、根元から先端まで太さの一様な筒を先端側から抜落させない抜け止め効果も有している。
【００１７】
抜け止めについては、先端にゆくに連れて細くなってゆく筒（テーパ筒と呼ぶ）の場合には、筒自体が抜け止め機能を有しているのでこの意味において上記ストッパー部材は不必要である。但し、ネジ棒のネジ山に掛かっているコマに対応する筒が完全に伸びきる（又は縮みきる）直前まで次の筒に対応するコマをネジ棒のネジ山に掛けない、という機能は備えていないので、上記ストッパー部材に代わる構造を採用するのが好ましいがその詳細を限定しない。
【００１８】
全ての筒を完全に伸ばしてしまうまでに、最内側筒先端の引っ掛け用カギは引き寄せようとする電線等を捉える。この段階で筒の押し出しは終了し、電線等を引き寄せるため今度はネジ棒を逆回転させる。ネジ棒のネジ本体に掛かっているコマは、押し出されている筒の中で最も外側の筒に付帯しているコマであり、このコマがネジ本体から外れ柱体に抜けるまでに、ストッパー部材によって手元側に引き寄せられたすぐ内側の筒に付帯するコマがネジ本体のネジ山に掛かることになる。これが順次最も内側の筒を引き寄せるまで繰り返され作業が終了する。
【００１９】
以上が本発明引っ掛け具の構造の概要であるが、上述した各部材の機能が効果的に発揮されるように、種々の工夫を凝らしても勿論良い。
例えば、筒を押し出している状態で、或るコマがネジ本体に掛かっている時には、ストッパー部材が接触してこれに引きずられるまで、後続のコマがネジ山に掛かるのは好ましくない。そこで最外側筒に、他の筒の先端方向へのスライドを規制する滑り出し止め部材を固定し、積極的に後続のコマの動き出しを止めておくと良い。当然この滑り出し止め部材の能力（即ち筒の自重によって、或いは内側筒移動時に受ける摩擦力によって該筒に加えられる力に抗する能力）の大きさは、ネジ棒を回転させることによってコマが移動しそのコマが筒を押す力、更にその筒がストッパー部材を介してその外側の筒を押し出す力、よりも小さくなるように設定されている。
【００２０】
また、筒を押し出し始める時には最初のコマ（最内側筒に付帯するコマ）をネジ本体のネジ山に掛ける必要があるし、筒を完全に押し出して全てのコマがネジ棒先端から外れてしまった時には最も手元側のコマをネジ本体のネジ山に掛けてやらなければ筒を戻すことはできない。そのために、バネなどを配置しておくと便利である。
【発明の効果】
【００２１】
本発明に係る引き寄せ具は、以下述べる如き効果を有する。
（１）  多段筒内部に格納されているネジ棒を回転させるだけで筒の伸縮ができるので、屋根裏などの狭い空間であっても簡単に作業ができる。
（２）  電線などを引き寄せる力は、コマがネジ棒のネジ山に沿って移動してゆく時に伝達される力であって、ローラーで挟み込んだ部材を押し引きするといった摩擦力には依存していないので、エネルギーロスが小さく確実に作業ができる。
（３）  高価な部材が必要でないので安価に提供できる。
【発明を実施するための最良の形態】
【００２２】
以下図面に基づいて本発明をより詳細に説明する。
【実施例１】
【００２３】
図１は、本発明に係る引き寄せ具１（以下、「本発明器具１」という）の一例によって伸縮の原理を概略的に示すものである。図より明らかなように本発明器具１は、四本の筒１１、１２、１３、１４より構成されるものである。これらの筒を、細い方から順に「最内側筒１１」「第二筒１２」「第三筒１３」「最外側筒１４」と呼ぶものとする。各部材は筒長さを極端に短くし、サイズその他を誇張して描出している。本例では、これらの筒は全て断面が楕円形であり、またいずれも先細となっている。これらの筒が「入れ子」状に嵌め込まれており、前方側から最内側筒１１を引き出してゆくと、振り出し式釣り竿のように全ての筒が引きずられることになる。但し本発明においては伸長時、筒を先端側から「引き出す」のではなく、根元（後端）側からの操作で筒を「押し出す」ものである。図示した状態は、筒を途中まで伸長させているところを示している。
【００２４】
この最内側筒１１の先端には引っ掛け用カギ２が取り付けられている。この引っ掛け用カギ２にて電線束等を引き寄せることとなる。また、最内側筒１１の内部にはネジ棒４が設けられている。このネジ棒４は、ネジ山を有するネジ本体４１と柱体４２で構成されている。また筒１１、１２、１３の手前（後端）にはそれぞれコマ５１、５２、５３が設けられている。これらのコマはいずれも内部にネジ棒４のネジ溝と螺合し得るネジ山６を有している。
【００２５】
このような構成であるので、ネジ棒４を回動させてやると各コマは、ネジ棒４の柱体４２上にある時はネジ棒４が空転するだけであるが、一旦コマ内のネジ山６がネジ棒４のネジ本体４１に掛かると移動を開始することになる。
一番先頭のコマ５１がネジ本体４１に掛かり、最内側筒１１だけを前方に押し出してゆくとやがて該筒１１の後端側は、第二筒１２の先端近くでこれに接触し、第二筒１２共々前方へ移動することになる。第二筒１２が前方に移動すると、これに付帯するコマ５２も共動しネジ棒４のネジ本体４１に掛かる。その後、最内側筒１１に付帯するコマ５１はネジ棒４から外れる。逆に言うと、このような動きを示すように各部材の大きさや長さが設計されている。
【００２６】
ネジ棒４の回動を続けてゆくと、図の状態、即ち第二筒１２に付帯するコマ５１がネジ本体４１上にある状態から、コマ５１が外れコマ５２が乗る状態に推移し、最終的にはコマ５３がネジ棒の先端から外れてしまった段階で、筒の伸長が完了する。
【００２７】
伸長しきった筒を短縮させる場合には、ネジ棒４を伸長の時とは逆の方向に回動させることになる。本原理図には描出していない機構或いは手作業で、まずコマ５３をネジ本体４１に掛けると、第三筒１３は根元（後端）への移動を開始する。コマ５３がやがてネジ棒４の柱体４２近くに移動した段階で、コマ５２がネジ本体４１の先端に掛かる。このようにして、ネジ棒４を回動させてやると、伸長させる際には内側の筒から順に、短縮させる際には外側の筒から順に、各筒は移動することとなる。
【実施例２】
【００２８】
図２は、本発明の他の例を示すものである。本例では各筒はそれぞれ太さが一様であり先細りとなっていない。また断面形状は楕円ではなく、矩形であり、各筒は幾分かの間隙を空けた「入れ子」となっている。なお、本図についてもサイズは不正確であり、長さに対して太さが誇張されている。実際に試作したものは、各筒を仕舞った状態で長さ約９０ｃｍ、幅約３ｃｍ程度である。図示した引っ掛け用カギ２は、中程度の量の電線束を引き寄せるのに適した構造・大きさのものであるが、引き寄せるものの種類や量に応じて取り替えができるように着脱自在となっている。取り替え用のカギについては図示を省略している。また最外側筒１４の先端部近傍には、弾性のある金属製の滑り出し止め板３が固定されており、その自由端が最内側筒１１の外表面に軽く接触するように湾曲しており、最内側筒の前方への移動は阻害しないが第二筒１２及び第三筒１３の移動についてはそれを規制している。即ち、滑り出し止め板３を変形させる力以下の力では先端へ移動することはできない。また、最内側筒１１の内部に設けられているネジ棒４は図１のものとほぼ同一のものである。
【００２９】
また最外側筒１４の先端部近傍には、弾性のある金属製の滑り出し止め板３が固定されており、その自由端が最内側筒１１の外表面に接触するように湾曲しており、最内側筒の前方への移動は阻害しないが第二筒１２及び第三筒１３の移動についてはそれを規制している。即ち、滑り出し止め板３を変形させる力以下の力では先端への移動はできない。
【００３０】
図３は本発明器具１の内部構造を明らかにするための概略断面図である。また図４（ａ）（ｂ）（ｃ）（ｄ）（ｅ）はネジ棒４並びに各筒をそれぞれ断面した状態を示すものである。但し、中心軸部分に配置されているネジ棒４の一部については断面することなく描出している。
ネジ棒４は、最内側筒１１の内部に収納されている鋼製部材であり、その長さのほとんどを占める先端側部分はネジ本体４１で、螺旋状にネジ溝が刻設されている。後端側部分は柱体４２で、その外径はネジ本体４１のネジ溝の底部分の外径とほぼ等しい。またこの柱体４２は最外側筒１４の後端開口部を閉じる蓋体５０を貫通しており、一部は筒外部に露出している。また柱体４２の表面には蓋体５０の貫通孔に対して柱体４２がずれないように抜け止め部材（採番せず）が取設されている。更に本例の場合、柱体４２の端部は四角柱状に加工されており、ナットを付けた電動ドライバー（図示せず）に連結できるようになっている。
【００３１】
最外側筒１４の蓋体５０よりも前方に位置する柱体には三個のコマ５１、５２、５３が遊嵌されている。これらのコマはいずれも内部にネジ棒４のネジ溝と螺合し得るネジ山６を有している。またこれらのコマはそれぞれ、コマ５１については筒１１と、コマ５２については筒１２と固定されており、且つ外表面形状もそれぞれの筒の外表面形状と等しく形成されている。従って、コマ共々各筒は「入れ子」になっている。このように構成されているのでネジ棒４を回転させると、一番先端に位置するコマ５１がネジ棒のネジ溝に掛かっていれば、このネジ溝上を先端方向に移動する。
【００３２】
最内側筒１１、第二筒１２及び第三筒１３の外表面手前側端部には、それぞれ後端ストッパー７１が固定されている。また第二筒１２、第三筒１３及び最外側筒１４の内表面先端側端部には、それぞれ前端ストッパー７２が固定されている。後端ストッパー７１と前端ストッパー７２は、いずれも筒と筒との間隙に配置されており、筒摺動の際に両者が接触すると以後互いを乗り越えることはできない。従って、内側の筒が前方に移動すれば外側の筒はそれに引きずられて次々と前方に移動することとなるし、逆に外側の筒が後方に移動すれば内側の筒はそれに引きずられて次々と後方に移動することとなる。
なお各筒同士は、自重その他の軽い力を受けてスライドするのは好ましくないので、各後端ストッパー７１の少し前方にブレーキ板８をそれぞれ固定している。
【００３３】
また、最内側筒１１の内部先端付近、及びコマ５２とコマ５３の間には、筒同士の摺動やネジ棒４との螺合を阻害しない大きさのコイルバネ９１、９２が嵌め込まれている。これらは、完全に筒を仕舞い込んでいる状態で最内側筒１１のコマ５１をネジ棒４のネジ山に確実に掛けてやるため、完全に伸長して第三筒１３のコマ５３がネジ棒４の先端から外れてしまったような状態からでも筒を縮める際にこのコマ５３を確実にネジ棒４のネジ山に掛けてやるための部材であるが、このような目的は他の構造によっても達することができる（図示せず）。
【図面の簡単な説明】
【００３４】
【図１】本発明に係る引き寄せ具の一例を示す概略断面図である。
【図２】本発明に係る引き寄せ具の他の例を示す斜視図である。
【図３】図２に示した本発明に係る引き寄せ具の概略断面図である。
【図４】（ａ）乃至（ｅ）は、図２に示した本発明に係る引き寄せ具を分解した状態を示す全て概略断面図である。
【符号の説明】
【００３５】
１    本発明に係る引き寄せ具
１１  最内側筒
１２  第二筒
１３  第三筒
１４  最外側筒
２    引っ掛け用カギ
３    滑り出し止め板
４    ネジ棒
４１  ネジ本体
４２  柱体
５０  蓋
５１  コマ
５２  コマ
５３  コマ
６    ネジ山
７１  後端ストッパー
７２  前端ストッパー
８    ブレーキ板
９１  コイルバネ
９２  コイルバネ
【図１】
2005086839.tif 000003
【図２】
2005086839.tif 000004
【図３】
2005086839.tif 000005
【図４】
2005086839.tif 000006